Podtech/llm-jp-corpus-v4-ja_patent huggingface dataset:
【手続補正書】
【提出日】平成19年2月22日(2007.2.22)
【手続補正１】
【補正対象書類名】明細書
【補正対象項目名】特許請求の範囲
【補正方法】変更
【補正の内容】
【特許請求の範囲】
【請求項１】  複数枚の原稿が積載される原稿積載部と、
該原稿積載部に積載された原稿を、最上部から分離して給紙する原稿給紙部と、
該原稿給紙部により給紙された原稿の画像を読み取る読取部上で、原稿を搬送する原稿搬送部と、
前記原稿搬送部よりも下流側にあり、原稿を反転排紙する原稿反転排紙部と、
画像が読み取られ、前記原稿反転排紙部によって反転排紙された原稿が再積載される原稿再積載部と、を備え、
前記原稿反転排紙部で先行原稿の反転中に、前記読取部で後行原稿の原稿読み取りを可能にしたことを特徴とする原稿搬送装置。
【請求項２】  前記原稿反転排紙部は、
該原稿反転排紙部から原稿を排出する第１の搬送手段と、
前記読取部の端部を始点として前記第１の搬送手段に至る第１の原稿搬送パスと、
該第１の原稿搬送パスから分岐して前記第１の搬送手段に至る第２の原稿搬送パスと、
前記第１の原稿搬送パス内の原稿を搬送方向の上流、下流のいずれに搬送可能な第２の搬送手段と、
前記読取部上での画像読み取りが終了した原稿を、前記第１の原稿搬送パスに沿って下流に搬送し、原稿後端が前記第１と第２の原稿搬送パスの分岐部から下流に搬送した所で原稿を逆方向に搬送し、前記第２の原稿搬送パスを経て前記原稿再積載部に積載するように制御する制御手段と、
を備えることを特徴とする請求項１に記載の原稿搬送装置。
【請求項３】  前記原稿搬送部と、前記第１と第２の搬送手段とを独立して駆動可能な駆動手段を有し、
前記原稿搬送部での原稿搬送が停止中に前記第１と第２の搬送手段により原稿を搬送することを特徴とする請求項２に記載の原稿搬送装置。
【請求項４】  前記第１の原稿搬送パスの長さが、少なくとも、搬送可能な最小原稿長さよりも長いことを特徴とする請求項２に記載の原稿搬送装置。
【請求項５】  前記第１の原稿搬送パスの終点は、前記読取部の端部に接続しており、
前記読取部から前記第１の搬送手段を経由し、前記原稿再積載部へつながる第３の原稿搬送パスと、
前記読取部の端部と前記第１と第３の原稿搬送パスとの間に位置し、前記読取部から下流への原稿搬送パスを、前記第１又は第３の原稿搬送パスのいずれかを選択可能な偏向手段と、
を備えることを特徴とする請求項２に記載の原稿搬送装置。
【請求項６】  前記第３の原稿搬送パスが、前記第１の原稿搬送パスの一部分であることを特徴とする請求項５に記載の原稿搬送装置。
【請求項７】  前記原稿反転排紙部は、
該原稿反転排紙部から原稿を排出する第１の搬送手段と、
前記原稿搬送部と前記移送手段との間にあって、前記原稿搬送部から排出される原稿の一部分を装置本体外に排出する第３の搬送手段と、
前記原稿搬送部の端部から前記第３の搬送手段を介し前記第１の搬送手段へ原稿を導く第４の原稿搬送パスと、
前記第１の搬送手段から前記原稿搬送部の端部に原稿を導く第５の原稿搬送パスと、
前記原稿搬送部から排出される原稿を、前記第４の原稿搬送パスと前記第５の原稿搬送パスとに分岐する分岐手段と、を備え、
前記制御手段は、前記原稿搬送部から排出される原稿を前記第３の搬送手段により装置本体外に一部分を排出し、該原稿を前記第３の搬送手段により前記移送手段へ搬送して前記原稿再積載部に排出させるように制御することを特徴とする請求項１に記載の原稿搬送装置。
【請求項８】  請求項１ないし７に記載の原稿搬送装置と、該原稿搬送装置により給紙された原稿の画像情報に基づいて、画像を形成する画像形成手段と、を備えることを特徴とする画像形成装置。
【手続補正２】
【補正対象書類名】明細書
【補正対象項目名】００１５
【補正方法】変更
【補正の内容】
【００１５】
【課題を解決するための手段】
請求項１に係る発明は、複数枚の原稿が積載される原稿積載部と、
該原稿積載部に積載された原稿を、最上部から分離して給紙する原稿給紙部と、
該原稿給紙部により給紙された原稿の画像を読み取る読取部上で、原稿を搬送する原稿搬送部と、
前記原稿搬送部よりも下流側にあり、原稿を反転排紙する原稿反転排紙部と、
画像が読み取られ、前記原稿反転排紙部によって反転排紙された原稿が再積載される原稿再積載部と、を備え、
前記原稿反転排紙部で先行原稿の反転中に、前記読取部で後行原稿の原稿読み取りを可能にしたことを特徴とする。
【手続補正３】
【補正対象書類名】明細書
【補正対象項目名】００１６
【補正方法】変更
【補正の内容】
【００１６】
請求項２に係る発明は、前記原稿反転排紙部は、
該原稿反転排紙部から原稿を排出する第１の搬送手段と、
前記読取部の端部を始点として前記第１の搬送手段に至る第１の原稿搬送パスと、
該第１の原稿搬送パスから分岐して前記第１の搬送手段に至る第２の原稿搬送パスと、
前記第１の原稿搬送パス内の原稿を搬送方向の上流、下流のいずれに搬送可能な第２の搬送手段と、
前記読取部上での画像読み取りが終了した原稿を、前記第１の原稿搬送パスに沿って下流に搬送し、原稿後端が前記第１と第２の原稿搬送パスの分岐部から下流に搬送した所で原稿を逆方向に搬送し、前記第２の原稿搬送パスを経て前記原稿再積載部に積載するように制御する制御手段と、
を備えることを特徴とする。
【手続補正４】
【補正対象書類名】明細書
【補正対象項目名】００１９
【補正方法】変更
【補正の内容】
【００１９】
請求項５に係る発明は、前記第１の原稿搬送パスの終点は、前記読取部の端部に接続しており、
前記読取部から前記第１の搬送手段を経由し、前記原稿再積載部へつながる第３の原稿搬送パスと、
前記読取部の端部と前記第１と第３の原稿搬送パスとの間に位置し、前記読取部から下流への原稿搬送パスを、前記第１又は第３の原稿搬送パスのいずれかを選択可能な偏向手段と、
を備えることを特徴とする。
【手続補正５】
【補正対象書類名】図面
【補正対象項目名】図１
【補正方法】変更
【補正の内容】
【図１】
2000118889.tif 000001
【手続補正書】
【提出日】平成19年6月28日(2007.6.28)
【手続補正１】
【補正対象書類名】明細書
【補正対象項目名】請求項１３
【補正方法】変更
【補正の内容】
【請求項１３】  前記代替のアドレス情報とは、印刷不能なデータを変換処理したデータを指定するＵＲＬであることを特徴とする請求項１２に記載の画像形成装置。
【手続補正２】
【補正対象書類名】明細書
【補正対象項目名】請求項２８
【補正方法】変更
【補正の内容】
【請求項２８】  前記代替のアドレス情報とは、印刷不能なデータを変換処理したデータを指定するＵＲＬであることを特徴とする請求項２７に記載の画像形成方法。
【手続補正書】
【提出日】平成19年10月26日(2007.10.26)
【手続補正１】
【補正対象書類名】明細書
【補正対象項目名】特許請求の範囲
【補正方法】変更
【補正の内容】
【特許請求の範囲】
【請求項１】
遊技領域に窓部が形成された遊技盤と、
遊技情報を表示する表示装置と、
第１規制部及び第２規制部が形成されるとともに、前記表示装置を装着する装着部が設けられた枠部材と、
前記遊技盤の窓部の縁部を覆う装飾部材と、
を備えた遊技機であって、
前記表示装置は、前記枠部材の前記装着部に装着され、
前記枠部材は、前記第１規制部が前記遊技盤の窓部の縁部と当接して、後面側への移動が規制され、
前記装飾部材は、前記枠部材の前記第２規制部と当接して、前記枠部材の前面側への移動が規制されるように前記遊技盤の前面側に固着されたことを特徴とする遊技機。
【手続補正書】
【提出日】平成19年7月10日(2007.7.10)
【手続補正１】
【補正対象書類名】明細書
【補正対象項目名】特許請求の範囲
【補正方法】変更
【補正の内容】
【特許請求の範囲】
【請求項１】  所定数の遊技媒体の発射を単位遊技とし、該単位遊技における複数の入球領域への遊技媒体の入球に関連した識別情報を表示し、該識別情報の組合せに基づき賞態様を決定する遊技機において、
遊技の制御を司る遊技制御手段と、前記識別情報の表示に関連する制御を行う表示制御手段とを備え、
前記遊技制御手段には、
前記識別情報を表示させるための識別情報表示コマンドを前記入球領域と対応させて記憶するコマンド記憶手段と、
前記単位遊技において前記入球領域に前記遊技媒体が入球する毎に、該入球のあった入球領域に対応する識別情報表示コマンドを前記コマンド記憶手段から読み出して、前記表示制御手段に逐一送信する識別情報表示コマンド送信手段と、
前記単位遊技において前記識別情報表示コマンド送信手段により逐一送信された識別情報表示コマンド数に基づいて全入球領域への前記遊技媒体の入球数を累計する入球数累計手段と、
当該遊技機の作動電源の供給が停止した後であって、該停止が解除され作動電源の供給が復帰した場合に、前記作動電源供給停止前に前記入球数累計手段により累計された入球数情報である入球数コマンドを前記表示制御手段に送信する入球数情報送信手段と、が備えられることを特徴とする遊技機。
【手続補正２】
【補正対象書類名】明細書
【補正対象項目名】０００４
【補正方法】変更
【補正の内容】
【０００４】
【課題を解決するための手段及び発明の効果】
上記課題を解決するために、本発明の遊技機は、
所定数の遊技媒体の発射を単位遊技とし、該単位遊技における複数の入球領域への遊技媒体の入球に関連した識別情報を表示し、該識別情報の組合せに基づき賞態様を決定する遊技機において、
遊技の制御を司る遊技制御手段と、前記識別情報の表示に関連する制御を行う表示制御手段とを備え、
前記遊技制御手段には、
前記識別情報を表示させるための識別情報表示コマンドを前記入球領域と対応させて記憶するコマンド記憶手段と、
前記単位遊技において前記入球領域に前記遊技媒体が入球する毎に、該入球のあった入球領域に対応する識別情報表示コマンドを前記コマンド記憶手段から読み出して、前記表示制御手段に逐一送信する識別情報表示コマンド送信手段と、
前記単位遊技において前記識別情報表示コマンド送信手段により逐一送信された識別情報表示コマンド数に基づいて全入球領域への前記遊技媒体の入球数を累計する入球数累計手段と、
当該遊技機の作動電源の供給が停止した後であって、該停止が解除され作動電源の供給が復帰した場合に、前記作動電源供給停止前に前記入球数累計手段により累計された入球数情報である入球数コマンドを前記表示制御手段に送信する入球数情報送信手段と、が備えられることを特徴とする。
【手続補正３】
【補正対象書類名】明細書
【補正対象項目名】０００５
【補正方法】変更
【補正の内容】
【０００５】
このような遊技機によると、入球数累計手段により単位遊技における入球領域への入球数が累計され、例えば電断等の電源供給異常が発生した場合、その異常発生時の入球数を確認することが可能となり得る。電断復旧時には、例えば識別情報表示コマンドを送信し、その後、入球数コマンドを送信することで、異常発生時の入球数を表示制御手段も確認可能となり、該異常発生時の復旧を確実に行うことが可能となり得る。
【手続補正４】
【補正対象書類名】明細書
【補正対象項目名】０００６
【補正方法】変更
【補正の内容】
【０００６】
また、このような遊技機では、
所定数の遊技媒体の発射を単位遊技とし、該単位遊技における複数の入球領域への遊技媒体の入球に関連した識別情報を表示し、該識別情報の組合せに基づき賞態様を決定する遊技機において、
遊技の制御を司る遊技制御手段と、前記識別情報の表示に関連する制御を行う表示制御手段とを備え、
送信側制御部としての前記遊技制御手段から送信され単位遊技を開始するための遊技開始コマンド、前記識別情報を表示させるための識別情報表示コマンド、全入球領域への前記遊技媒体の入球数を累計する入球数累計手段にて累計された入球数に関する情報に係る入球数コマンド、前記単位遊技の終了時に全ての識別情報を非表示とするための全識別情報表示解除コマンドその他の表示制御信号を、受信側制御部としての前記表示制御手段において予め定められた時期に受信できなかった場合には、エラー検出を行うことができる。
このような遊技機によると、送信側制御部としての遊技制御手段から送信される遊技開始コマンド、識別情報表示コマンド、入球数コマンド、全識別情報表示解除コマンド等の表示制御信号（表示制御コマンド）が、受信側制御部としての表示制御手段において予め定められた時期に受信できなかった場合に、エラー検出を行うものとすることができる。なお、遊技開始コマンドは、単位遊技の開始時に遊技制御手段から表示制御手段に送信されるものである。
具体的には、表示制御手段において上記識別情報表示コマンドを受信する前に全識別情報表示解除コマンドを受信した場合にエラー（異常）発生とすることができる。すなわち、任意の単位遊技において識別情報を表示する前に、識別情報の表示を解除するコマンドが受信されたためにエラー（異常）と判定され、この場合のエラー処理としては、例えばランプ、表示、音声等の報知手段によりエラー報知を行い、当該遊技機への電源供給を断った後、又は次回の単位遊技を正常に終了した場合に、エラーが回復されるものとされている。
【手続補正５】
【補正対象書類名】明細書
【補正対象項目名】００１７
【補正方法】削除
【補正の内容】
【手続補正書】
【提出日】平成19年7月10日(2007.7.10)
【手続補正１】
【補正対象書類名】明細書
【補正対象項目名】特許請求の範囲
【補正方法】変更
【補正の内容】
【特許請求の範囲】
【請求項１】  遊技盤面上に設けられた入球領域への遊技媒体の入球に関連した識別情報を表示する遊技機において、
遊技の制御を司る遊技制御手段と、前記識別情報の表示に関連する制御を行う表示制御手段とを備え、
前記遊技制御手段は、
前記入球領域への前記遊技媒体の入球数を累計する入球数累計手段と、
当該遊技機の作動電源の供給が停止した後であって、該停止が解除され作動電源の供給が復帰した場合に、前記入球数累計手段により累計された前記入球数に関する情報を前記表示制御手段に送信する入球数情報送信手段と、を備えていることを特徴とする遊技機。
【手続補正２】
【補正対象書類名】明細書
【補正対象項目名】０００４
【補正方法】変更
【補正の内容】
【０００４】
【課題を解決するための手段及び発明の効果】
上記課題を解決するために、本発明の遊技機は、
遊技盤面上に設けられた入球領域への遊技媒体の入球に関連した識別情報を表示する遊技機において、
遊技の制御を司る遊技制御手段と、前記識別情報の表示に関連する制御を行う表示制御手段とを備え、
前記遊技制御手段は、
前記入球領域への前記遊技媒体の入球数を累計する入球数累計手段と、
当該遊技機の作動電源の供給が停止した後であって、該停止が解除され作動電源の供給が復帰した場合に、前記入球数累計手段により累計された前記入球数に関する情報を前記表示制御手段に送信する入球数情報送信手段と、を備えていることを特徴とする。
【手続補正３】
【補正対象書類名】明細書
【補正対象項目名】０００５
【補正方法】変更
【補正の内容】
【０００５】
このような遊技機においては、入球数累計手段により入球領域への入球数が累計され、例えば電断等の電源供給異常が発生した場合、その異常発生時の入球数を確認することが可能となり得る。電断復旧時には、例えば識別情報表示コマンドを送信し、その後、入球数コマンドを送信することで、異常発生時の入球数を表示制御手段も確認可能となり、該異常発生時の復旧を確実に行うことが可能となり得る。
【手続補正４】
【補正対象書類名】明細書
【補正対象項目名】００１２
【補正方法】変更
【補正の内容】
【００１２】
また、このような遊技機では、
所定数の遊技媒体の発射を単位遊技とし、該単位遊技における複数の入球領域への遊技媒体の入球に関連した識別情報を表示し、該識別情報の組合せに基づき賞態様を決定する遊技機において、
遊技の制御を司る遊技制御手段と、前記識別情報の表示に関連する制御を行う表示制御手段とを備え、
前記遊技制御手段は、前記単位遊技の遊技状態を示す遊技状態コマンドを前記表示制御手段に送信する遊技状態コマンド送信手段を備えることができる。
このような遊技機においては、遊技制御手段から送信される遊技状態コマンドにより、表示制御手段が単位遊技の遊技状態を把握可能となる。すなわち、表示制御手段に送信される遊技状態コマンドが、単位遊技の遊技状態を反映したコマンドとされており、該遊技状態コマンドを受信した表示制御手段が遊技状態を管理することが可能となる。具体的には、遊技状態コマンドは例えば前記単位遊技の開始及び／又は終了を示すコマンドを少なくとも含むものとすることができる。この場合、該単位遊技の開始及び／又は終了を表示制御手段にて把握可能となり、単位遊技における各種コマンド（例えば識別情報表示コマンド、入球数コマンド、全識別情報表示解除コマンド）の取りこぼしを容易に検出することが可能となり得る。すなわち、単位遊技の開始から終了までに受信すべき上記各種コマンドが受信されたか否かを容易に把握可能となり得る。なお、遊技状態コマンドは、例えば単位遊技の開始から立ち上がる立上り信号であって、当該単位遊技の継続中は常に立上りを継続し、単位遊技の終了時に立ち下がるものとすることができ、該単位遊技の終了後、所定の遊技確認時間を経た後に再び立ち上がるものとすることができる。
【手続補正書】
【提出日】平成19年10月19日(2007.10.19)
【手続補正１】
【補正対象書類名】特許請求の範囲
【補正対象項目名】全文
【補正方法】変更
【補正の内容】
【特許請求の範囲】
【請求項１】
メジアン径が２から１２ミクロンであって、４０ミクロンのふるいで最大の残さが５％以下のオクスカルバゼピンを有効成分として含有する、絶食状態の患者に経口的に使用することを意図した、発作の制御、予防もしくは処置用薬剤。
【請求項２】
オクスカルバゼピンが４から１２ミクロンのメジアン径を有することに特徴を有する、請求項１に記載の薬剤。
【請求項３】
オクスカルバゼピンが４から１０ミクロンのメジアン径を有することに特徴を有する、請求項１に記載の薬剤。
【請求項４】
オクスカルバゼピンが４０ミクロンのふるいで２％以下の最大の残さを有することに特徴を有する、請求項１から３の何れかの薬剤。
【請求項５】
オクスカルバゼピンが４０ミクロンのふるいで２％以下の最大の残さを有し、かつ６から８ミクロンのメジアン径を有することに特徴を有する、請求項１に記載の薬剤。
【請求項６】
３００から６００ｍｇのオクスカルバゼピンを含むことに特徴を有する、請求項１から５の何れかの薬剤。
【請求項７】
コーティングした錠剤であることに特徴を有する、請求項１から６の何れかの薬剤。
【請求項８】
３０分後に７０％以上のオクスカルバゼピンが溶解するin vitro溶解速度を示すことに特徴を有する、請求項１から７の何れかの薬剤。
【請求項９】
３０分後に９０％以上のオクスカルバゼピンが溶解するin vitro溶解速度を示すことに特徴を有する、請求項１から８の何れかの薬剤。
【請求項１０】
１回投与後に、０．８から１．２５のオクスカルバゼピンＡＵＣ喫食状態／絶食状態比を有することに特徴を有する、請求項１から９の何れかの薬剤。
【請求項１１】
１回投与後に、０．７から１．４３のオクスカルバゼピンＣｍａｘ喫食状態／絶食状態比を有することに特徴を有する、請求項１から１０の何れかの薬剤。
【請求項１２】
単剤療法で使用されることに特徴を有する、請求項１から１１の何れかの薬剤。
【請求項１３】
併合療法で使用されることに特徴を有する、請求項１から１１の何れかの薬剤。
【手続補正２】
【補正対象書類名】明細書
【補正対象項目名】００３７
【補正方法】変更
【補正の内容】
【００３７】
好ましくは、微粉砕してあり、メジアン径（median particle size）が約２から１２ミクロン、特により好ましくは４から１２ミクロン、さらにより好ましくは４から１０ミクロンであり、４０ミクロンのふるいで最大の残さが５％以下、例えば２％のオクスカルバゼピンを用いる。
【手続補正３】
【補正対象書類名】明細書
【補正対象項目名】００３８
【補正方法】変更
【補正の内容】
【００３８】
それゆえに、本発明は、微粉砕してありメジアン径が約４から１０ミクロンであり、４０ミクロンのふるいで最大の残さが５％以下であるオクスカルバゼピンを含む経口投与形である、もしくは微粉砕してありメジアン径が約４から１０ミクロンであり、４０ミクロンのふるいで最大の残さが５％以下であるもの以外のオクスカルバゼピンを含む経口投与形である、本発明による経口投与形の使用を提供する。
【手続補正４】
【補正対象書類名】明細書
【補正対象項目名】００３９
【補正方法】変更
【補正の内容】
【００３９】
既知の粒子サイズ分析法は、メジアン径の測定に適している。粒子サイズ測定法には、例えば光分散法や比濁分析法などの光を用いた方法、例えばアンドレアゼンピペットを用いたピペット分析、沈降分離計、光沈降分離計または遠心力による沈降分離等による沈降分離法、例えばコールターカウンターを用いた、もしくは重力または遠心力の手段で区分するパルス法がある。これらの方法は、とりわけ Voigt, Ioc. cit. の 64−79 ページに書かれている。
【手続補正５】
【補正対象書類名】明細書
【補正対象項目名】００６５
【補正方法】変更
【補正の内容】
【００６５】
メジアン径約４から１２μｍ、例えば６から８μｍで４０μｍのふるいの最大の残さが２％であるオクスカルバゼピンは、特に上記の過程に適している。
【手続補正書】
【提出日】平成19年7月25日(2007.7.25)
【手続補正１】
【補正対象書類名】明細書
【補正対象項目名】００２９
【補正方法】変更
【補正の内容】
【００２９】
【図１】本発明のシリンダー錠の第１実施例を示し、（ａ）は平面横断面図、（ｂ）は正面縦断面図、（ｃ）は規定長さのキーを用いた場合の側面横断面図、（ｄ）は規定長さでないキーを用いた場合の側面横断面図である。
【図２】同シリンダー錠の板タンブラを示し、（ａ）は外タンブラ片の説明図、（ｂ）は内タンブラ片の説明図、（ｃ）は板タンブラの説明図である。
【図３】同シリンダー錠の使用方法の説明図である。
【図４】本発明のシリンダー錠の第２実施例を示し、（ａ１）は通常の使用状態の側面図、（ａ２）は同平面図、（ａ３）は同要部の平面図、（ｂ１）はキーを変更する場合に外筒を鍵穴側の方向に移動させた状態の側面図、（ｂ２）は同平面図、（ｂ３）は同要部の平面図である。
【図５】同シリンダー錠の外筒を示し、（ａ）は平面図、（ｂ）は側面図、（ｃ）は正面図である。
【図６】同シリンダー錠の使用方法の説明図である。
【手続補正書】
【提出日】平成19年3月9日(2007.3.9)
【手続補正１】
【補正対象書類名】明細書
【補正対象項目名】発明の名称
【補正方法】変更
【補正の内容】
【発明の名称】電気光学装置
【手続補正２】
【補正対象書類名】明細書
【補正対象項目名】特許請求の範囲
【補正方法】変更
【補正の内容】
【特許請求の範囲】
【請求項１】
同一基板上に画素部及び駆動回路を含む電気光学装置であって、
前記駆動回路には、ＬＤＤ領域の全部がゲート絶縁膜を挟んでゲート配線と重なるように形成された第１のｎチャネル型ＴＦＴと、ＬＤＤ領域の一部がゲート絶縁膜を挟んでゲート配線と重なるように形成された第２のｎチャネル型ＴＦＴとを有し、
前記画素部には、ＬＤＤ領域がゲート絶縁膜を挟んでゲート配線と重ならないよう形成され、かつチャネル形成領域及びＬＤＤ領域の間にはオフセット領域が形成された画素ＴＦＴを有することを特徴とする電気光学装置。
【請求項２】
同一基板上に画素部及び駆動回路を含む電気光学装置であって、
前記駆動回路には、ＬＤＤ領域の全部がゲート絶縁膜を挟んでゲート配線と重なるように形成された第１のｎチャネル型ＴＦＴと、ＬＤＤ領域の一部がゲート絶縁膜を挟んでゲート配線と重なるように形成された第２のｎチャネル型ＴＦＴとを有し、
前記画素部には、ＬＤＤ領域がゲート絶縁膜を挟んでゲート配線と重ならないよう形成され、かつチャネル形成領域及びＬＤＤ領域の間にはオフセット領域が形成された画素ＴＦＴを有し、
前記第１のｎチャネル型ＴＦＴに形成されたＬＤＤ領域は、前記第１のｎチャネル型ＴＦＴのチャネル形成領域とソース領域もしくはドレイン領域のいずれか一方との間に形成され、
前記第２のｎチャネル型ＴＦＴに形成されたＬＤＤ領域は、前記第２のｎチャネル型ＴＦＴのチャネル形成領域と、ソース領域及びドレイン領域との間にそれぞれ形成されることを特徴とする電気光学装置。
【請求項３】
請求項１または請求項２において、
前記画素部は、保持容量を有し、
前記保持容量は、層間絶縁膜上に設けられた遮蔽膜、該遮蔽膜の酸化物および画素電極で形成されていることを特徴とする電気光学装置。
【請求項４】
請求項３において、
前記層間絶縁膜は有機樹脂膜であることを特徴とする電気光学装置。
【請求項５】
請求項３または請求項４において、
前記遮蔽膜はアルミニウム膜またはアルミニウムを主成分とする膜であることを特徴とする電気光学装置。
【請求項６】
請求項１乃至請求項５のいずれか一項において、
前記オフセット領域上には前記ゲート絶縁膜を介してサイドウォールが形成されており、
前記ゲート配線は当該サイドウォールに挟まれていることを特徴とする電気光学装置。
【請求項７】
請求項１乃至請求項６のいずれか一項において、
前記第１のｎチャネル型ＴＦＴのＬＤＤ領域及び前記第２のｎチャネル型ＴＦＴのＬＤＤ領域のうちの少なくとも一方は、前記画素ＴＦＴのＬＤＤ領域よりも高い濃度でｎ型不純物元素が含まれることを特徴とする電気光学装置。
【請求項８】
請求項１乃至請求項６のいずれか一項において、
前記第１のｎチャネル型ＴＦＴのＬＤＤ領域及び前記第２のｎチャネル型ＴＦＴのＬＤＤ領域のうちの少なくとも一方は、前記画素ＴＦＴのＬＤＤ領域に比べて２〜１０倍の濃度でｎ型不純物元素が含まれることを特徴とする電気光学装置。
【請求項９】
請求項１乃至請求項６のいずれか一項において、
前記第１のｎチャネル型ＴＦＴのＬＤＤ領域及び前記第２のｎチャネル型ＴＦＴのＬＤＤ領域のうちの少なくとも一方には２×１０１６〜５×１０１９ａｔｏｍｓ／ｃｍ３の濃度範囲でｎ型不純物元素が含まれ、前記画素ＴＦＴのＬＤＤ領域には１×１０１６〜５×１０１８ａｔｏｍｓ／ｃｍ３の濃度範囲でｎ型不純物元素が含まれていることを特徴とする電気光学装置。
【請求項１０】
請求項１乃至請求項９のいずれか一項において、
前記画素ＴＦＴの前記オフセット領域と前記チャネル形成領域とは同一組成の半導体膜からなることを特徴とする電気光学装置。
【請求項１１】
請求項１乃至請求項１０のいずれか一項において、
前記オフセット領域には１×１０１５〜１×１０１８ａｔｏｍｓ／ｃｍ３の濃度範囲でｐ型不純物元素が含まれることを特徴とする電気光学装置。
【請求項１２】
請求項１乃至請求項１１のいずれか一項において、
前記画素部にＥＬ素子を有することを特徴とする電気光学装置。
【請求項１３】
請求項１乃至請求項１２のいずれか一項に記載の電気光学装置を表示部として用いることを特徴とする電気器具。
【手続補正書】
【提出日】平成19年4月17日(2007.4.17)
【手続補正１】
【補正対象書類名】明細書
【補正対象項目名】特許請求の範囲
【補正方法】変更
【補正の内容】
【特許請求の範囲】
【請求項１】
複数の異なる色の発光ダイオード（ＬＥＤ）を駆動するための装置であって、前記複数の異なる色のＬＥＤの各色ごとに設けられた多重ディジタル−アナログ変換器（ＤＡＣ）を備えており、該複数の多重ＤＡＣは単一の集積回路に集積されていることを特徴とするＬＥＤ駆動装置。
【請求項２】
３つの前記多重ＤＡＣが単一の集積回路上に存在することを特徴とする請求項１記載のＬＥＤ駆動装置。
【請求項３】
前記多重ＤＡＣ夫々の分解能は少なくとも２ビットであることを特徴とする請求項１記載のＬＥＤ駆動装置。
【請求項４】
前記多重ＤＡＣはＣＭＯＳで製造されることを特徴とする請求項１記載のＬＥＤ駆動装置。
【請求項５】
複数の異なる色の発光ダイオード（ＬＥＤ）を駆動するための装置であって、単一の集積回路に集積された複数の電流出力多重ディジタル−アナログ変換器（ＤＡＣ）を備えており、該多重ＤＡＣの夫々は、特定の色の前記ＬＥＤを駆動するために複数個のディジタル入力とアナログ入力と電流出力を有しており、該多重ＤＡＣは前記ＬＥＤの各色ごとに設けられており、該多重ＤＡＣ夫々の前記アナログ入力がともに接続されて共通アナログ入力を提供することを特徴とするＬＥＤ駆動装置。
【請求項６】
３つの前記電流出力多重ＤＡＣが存在することを特徴とする請求項５に記載のＬＥＤ駆動装置。
【請求項７】
前記各多重ＤＡＣの分解能は少なくとも２ビットであることを特徴とする請求項６に記載のＬＥＤ駆動装置。
【請求項８】
前記各多重ＤＡＣの最下位ビットは継続的にイネーブル状態であることを特徴とする請求項７に記載のＬＥＤ駆動装置。
【請求項９】
前記多重ＤＡＣはＣＭＯＳで製造されることを特徴とする請求項６に記載のＬＥＤ駆動装置。
【請求項１０】
複数の異なる色の発光ダイオード（ＬＥＤ）を駆動するための装置であって、アナログ入力と複数個のディジタル入力とアナログ出力を有する単一の多重ＤＡＣと、該多重ＤＡＣの前記アナログ出力に接続されたマルチプレクサを備えており、該マルチプレクサは複数の出力すなわち前記ＬＥＤの各色ごとに１つの出力を有しており、前記多重ＤＡＣおよび前記マルチプレクサが単一の集積回路に存在することを特徴とするＬＥＤ駆動装置。
【請求項１１】
前記マルチプレクサは３つの出力を有することを特徴とする請求項１０に記載のＬＥＤ駆動装置。
【請求項１２】
前記多重ＤＡＣの分解能は少なくとも２ビットであることを特徴とする請求項１０に記載のＬＥＤ駆動装置。
【手続補正書】
【提出日】平成19年7月20日(2007.7.20)
【手続補正１】
【補正対象書類名】明細書
【補正対象項目名】発明の名称
【補正方法】変更
【補正の内容】
【発明の名称】高分子電解質型燃料電池、その膜電極接合体および製造方法
【手続補正２】
【補正対象書類名】明細書
【補正対象項目名】特許請求の範囲
【補正方法】変更
【補正の内容】
【特許請求の範囲】
【請求項１】  高分子電解質膜と、
前記高分子電解質膜側に配置されている触媒層、及び、前記触媒層の前記高分子電解質膜と反対側に配置されているガス拡散層を有し、前記高分子電解質膜を挟むように配置されている一対の電極と、を有しており、
前記触媒層は、触媒と、当該触媒を担持する触媒担持粒子と、高分子電解質とを含んでおり、
前記ガス拡散層は、電気導電性多孔質基材を含んでおり、
前記一対の電極のうちの少なくとも一方の電極は、前記ガス拡散層の一部が前記触媒層の途中までめり込んでいる、高分子電解質型燃料電池用膜電極接合体。
【請求項２】  前記一対の電極のうちの少なくとも一方の前記触媒層は、前記高分子電解質膜側に配置されている第１触媒層と、前記ガス拡散層側に配置されている第２触媒層とを含んでおり、
前記第２触媒層の空隙率は、前記第１触媒層の空隙率よりも高い、請求項１に記載の高分子電解質型燃料電池用膜電極接合体。
【請求項３】  請求項１または２に記載の膜電極接合体を有する高分子電解質型燃料電池。
【請求項４】  高分子電解質膜と、
前記高分子電解質膜側に配置されている触媒層、及び、前記触媒層の前記高分子電解質膜と反対側に配置されているガス拡散層を有し、前記高分子電解質膜を挟むように配置されている一対の電極と、を有する膜電極接合体の製造方法であって、
前記一対の電極のうちの少なくとも一方の前記触媒層は、
前記高分子電解質膜上に、第１触媒層を熱転写により形成する第１工程と、
前記第１触媒層上に、第２触媒層を形成する第２工程と、
により形成する、高分子電解質型燃料電池用膜電極接合体の製造方法。
【請求項５】  前記第１工程は、
触媒と、高分子電解質と、前記触媒及び前記高分子電解質を分散させる分散媒と、を含む触媒インクを樹脂フィルムに塗布する工程と、
前記触媒インクを前記樹脂フィルムに塗布した塗布層を前記高分子電解質膜に張り合わせる工程と、
前記高分子電解質膜及び前記塗布層を加熱及び加圧する工程と、
前記樹脂フィルムを剥離する工程と、を有している請求項４に記載の高分子電解質型燃料電池用膜電極接合体の製造方法。
【手続補正３】
【補正対象書類名】明細書
【補正対象項目名】０００１
【補正方法】変更
【補正の内容】
【０００１】
【発明の属する技術分野】
本発明は、高分子電解質型燃料電池、その膜電極接合体および製造方法に関する。さらに詳しくは、高分子電解質膜を挟む電極の改良に関する。
【手続補正４】
【補正対象書類名】明細書
【補正対象項目名】０００６
【補正方法】変更
【補正の内容】
【０００６】
【課題を解決するための手段】
以上の課題を解決するため本発明の高分子電解質型燃料電池用膜電極接合体は、
高分子電解質膜と、
前記高分子電解質膜側に配置されている触媒層、及び、前記触媒層の前記高分子電解質膜と反対側に配置されているガス拡散層を有し、前記高分子電解質膜を挟むように配置されている一対の電極と、を有しており、
前記触媒層は、触媒と、当該触媒を担持する触媒担持粒子と、高分子電解質とを含んでおり、
前記ガス拡散層は、電気導電性多孔質基材を含んでおり、
前記一対の電極のうちの少なくとも一方の電極は、前記ガス拡散層の一部が前記触媒層の途中までめり込んでいる。
前記一対の電極のうちの少なくとも一方の前記触媒層は、前記高分子電解質膜側に配置されている第１触媒層と、前記ガス拡散層側に配置されている第２触媒層とを含んでおり、  前記第２触媒層の空隙率は、前記第１触媒層の空隙率よりも高いことが好ましい。
【手続補正５】
【補正対象書類名】明細書
【補正対象項目名】０００７
【補正方法】変更
【補正の内容】
【０００７】
本発明は、上記の膜電極接合体を有する高分子電解質型燃料電池を提供する。
本発明は、さらに、高分子電解質膜と、前記高分子電解質膜側に配置されている触媒層、及び、前記触媒層の前記高分子電解質膜と反対側に配置されているガス拡散層を有し、前記高分子電解質膜を挟むように配置されている一対の電極と、を有する膜電極接合体の製造方法であって、
前記一対の電極のうちの少なくとも一方の前記触媒層は、
前記高分子電解質膜上に、第１触媒層を熱転写により形成する第１工程と、
前記第１触媒層上に、第２触媒層をスクリーン印刷法により形成する第２工程と、
により形成する、高分子電解質型燃料電池用膜電極接合体の製造方法を提供する。
ここにおいて、前記第１工程は、
触媒と、高分子電解質と、前記触媒及び前記高分子電解質を分散させる分散媒と、を含む触媒インクを樹脂フィルムに塗布する工程と、
前記触媒インクを前記樹脂フィルムに塗布した塗布層を前記高分子電解質膜に張り合わせる工程と、
前記高分子電解質膜及び前記塗布層を加熱及び加圧する工程と、
前記樹脂フィルムを剥離する工程と、を有していることが好ましい。
【手続補正６】
【補正対象書類名】明細書
【補正対象項目名】０００８
【補正方法】変更
【補正の内容】
【０００８】
【発明の実施の形態】
上記のように本発明の高分子電解質型燃料電池は、少なくとも一方の電極の触媒層が２層以上の多層から構成されている。
図２は本発明によるＭＥＡの要部の構成を模式的に示す。触媒層１２は、ガス拡散層１３に接する層（第２触媒層）３１と、電解質膜１１に接する層（第１触媒層）３２との２層からなる。電解質膜１１に接する層３２は、触媒を担持したカーボン粒子４２とこれに被着した電解質５２とが比較的密に詰まっている層であることが好ましい。一方、ガス拡散層１３に接する層３１は、触媒を担持し電解質５１を被着したカーボン粒子４１が比較的疎に集合している層が好ましい。そのような層は、ガス拡散層を構成するカーボンペーパーやカーボンクロスの針状突起が容易に侵入しやすい。
【手続補正７】
【補正対象書類名】図面
【補正対象項目名】図１
【補正方法】変更
【補正の内容】
【図１】
2003303596.tif 000001
【手続補正書】
【提出日】平成19年6月12日(2007.6.12)
【手続補正１】
【補正対象書類名】明細書
【補正対象項目名】特許請求の範囲
【補正方法】変更
【補正の内容】
【特許請求の範囲】
【請求項１】  外部から送信される制御コマンドを解析して、ジョブ処理を要求する制御コマンドおよびジョブ管理を要求する制御コマンドを処理する周辺機器であって、
前記ジョブ処理を要求する制御コマンドの受付に応じて、ジョブの管理情報を記憶装置内に一時的に生成するジョブ受付手段と、
前記ジョブ処理を要求する制御コマンドよりジョブ識別情報を取り出し、前記記憶装置に記録されている管理情報内に記録するジョブ属性設定手段と、
前記ジョブ処理を要求する制御コマンドに応じてジョブ処理を行ない、該ジョブの開始から終了までの間の処理状況を前記記憶装置に記憶されている管理情報内で管理するジョブ管理手段と、
前記ジョブ処理の完了に伴い、ジョブのログ情報を前記記憶装置内に生成し、ジョブのジョブ識別情報および処理結果をログ情報内に記録するログ記録手段と、
前記ジョブ管理を要求する制御コマンドに基づき、指定されたジョブ識別情報が示すジョブの管理情報或いはログ情報を探索する探索手段と、
前記探索手段により見つかった管理情報あるいはログ情報に基づいて、ジョブの処理状況あるいは処理結果を返信する返信手段と、
を有することを特徴とする周辺機器。
【請求項２】  前記ログ記録手段は、一定数のログ情報を管理し、前記記憶装置に管理されているログ情報の数が一定数に達していた場合は、古いログ情報の内容を新たなジョブに関するログ情報に更新することを特徴とする請求項１記載の周辺機器。
【請求項３】  外部から送信される制御コマンドを解析して、ジョブ処理を要求する制御コマンドおよびジョブ管理を要求する制御コマンドを処理する周辺機器におけるジョブ管理方法であって、
前記ジョブ処理を要求する制御コマンドの受付に応じて、該ジョブの管理情報を記憶装置内に一時的に生成するジョブ受付ステップと、
前記ジョブ処理を要求する制御コマンドよりジョブ識別情報を取り出し、前記ジョブ受付ステップで生成される該ジョブの管理情報内に記録するジョブ属性設定ステップと、
前記ジョブ処理を要求する制御コマンドに応じてジョブ処理を行ない、該ジョブの開始から終了までの一連の処理状況を前記ジョブ受付ステップで生成される該ジョブの管理情報内に管理するジョブ管理ステップと、
前記ジョブ処理の完了に伴い、該ジョブのログ情報を前記記憶装置内に生成し、該ジョブの前記ジョブ識別情報および処理結果をログ情報内に記録するログ記録ステップと、
前記ジョブ管理を要求する制御コマンドに基づき、前記ジョブ管理ステップにより管理される管理情報あるいは前記ログ記録ステップにより記録されるログ情報より指定のジョブ識別情報を探索する探索ステップと、
前記探索ステップにより見つかったジョブの管理情報あるいはログ情報より該ジョブの処理状況あるいは処理結果を取得し、ジョブ探索要求元に返信する返信ステップと、
を有することを特徴とするジョブ管理方法。
【請求項４】  前記ログ記録ステップは、一定数のログ情報を管理し、前記記憶装置に管理されているログ情報の数が一定数に達していた場合は、古いログ情報の内容を新たなジョブに関するログ情報に更新することを特徴とする請求項３記載のジョブ管理方法。
【請求項５】  請求項３あるいは４に記載のジョブ管理方法を実現するプログラムを記憶したことを特徴とするコンピュータが読み取り可能な記憶媒体。
【請求項６】  請求項３あるいは４に記載のジョブ管理方法を実現することを特徴とするプログラム。
【手続補正２】
【補正対象書類名】明細書
【補正対象項目名】０００８
【補正方法】変更
【補正の内容】
【０００８】
本発明は、上記の問題点を解消するためになされたもので、ネットワーク上のトラフィックに負荷かけることなく、依頼されたジョブの処理開始から一定の時間内においてユーザが周辺機器に依頼したジョブの処理結果を確実に取得できる仕組みを提供することを目的とする。
【手続補正３】
【補正対象書類名】明細書
【補正対象項目名】０００９
【補正方法】変更
【補正の内容】
【０００９】
【課題を解決するための手段】
本発明に係る周辺装置は、以下の特徴的構成を備える。
外部から送信される制御コマンドを解析して、ジョブ処理を要求する制御コマンドおよびジョブ管理を要求する制御コマンドを処理する周辺機器であって、前記ジョブ処理を要求する制御コマンドの受付に応じて、ジョブの管理情報を記憶装置内に一時的に生成するジョブ受付手段と、前記ジョブ処理を要求する制御コマンドよりジョブ識別情報を取り出し、前記記憶装置に記録されている管理情報内に記録するジョブ属性設定手段と、前記ジョブ処理を要求する制御コマンドに応じてジョブ処理を行ない、該ジョブの開始から終了までの間の処理状況を前記記憶装置に記憶されている管理情報内で管理するジョブ管理手段と、前記ジョブ処理の完了に伴い、ジョブのログ情報を前記記憶装置内に生成し、ジョブのジョブ識別情報および処理結果をログ情報内に記録するログ記録手段と、前記ジョブ管理を要求する制御コマンドに基づき、指定されたジョブ識別情報が示すジョブの管理情報或いはログ情報を探索する探索手段と、前記探索手段により見つかった管理情報あるいはログ情報に基づいて、ジョブの処理状況あるいは処理結果を返信する返信手段とを有することを特徴とする。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】０１５３
【補正方法】変更
【補正の内容】
【０１５３】
【発明の効果】
以上説明したように、本発明によれば、ネットワーク上のトラフィックに負荷かけることなく、依頼されたジョブの処理開始から一定の時間内においてユーザが周辺機器に依頼したジョブの処理結果を確実に取得できる。
【手続補正書】
【提出日】平成19年9月10日(2007.9.10)
【手続補正１】
【補正対象書類名】特許請求の範囲
【補正対象項目名】全文
【補正方法】変更
【補正の内容】
【特許請求の範囲】
【請求項１】
入射光量を電気信号に変換する複数の画素を有し、該画素から得られるアナログ信号をデジタル信号に変換する複数のアナログ−デジタル変換装置を有する固体撮像装置において、
前記アナログ−デジタル変換装置は、
時間変化する参照電圧と画素から得られるアナログ信号とを比較するもので異なった前記参照電圧が入力される複数の比較器と、
前記比較器における比較完了までの時間をカウントして、その結果を保持するもので、異なったカウント数を有するカウンタとから構成されている
ことを特徴とする固体撮像装置。
【請求項２】
ｉビット（ｉは自然数）カウンタと接続する前記複数の比較器の一つに入力される参照電圧の振幅を１としたとき、
ｊビット（ｊは自然数、かつｉ＞ｊ）カウンタと接続する前記複数の比較器の異なったもう一つの比較器に入力される参照電圧の振幅は１/２jであり、
出力がｉビットの最下位ビット側にｊビットを付加してｉ＋ｊビットとして出力される
ことを特徴とする請求項１記載の固体撮像装置。
【請求項３】
前記画素からのアナログ信号の読み出しを行毎に２回行い、２回目の読み出し結果から１回目の読み出し結果を減算する
ことを特徴とする請求項１記載の固体撮像装置。
【請求項４】
１回目の読み出しは、画素の雑音を含むリセット成分であり、
２回目の読み出しは１回目の読み出し成分に画素の信号成分を加えたものである
ことを特徴とする請求項３記載の固体撮像装置。
【請求項５】
入射光量を電気信号に変換する複数の画素を有し、該画素から得られるアナログ信号をデジタル信号に変換する複数のアナログ−デジタル変換装置を有する固体撮像装置の駆動方法であって、
時間変化する参照電圧と画素から得られるアナログ信号とを前記アナログ−デジタル変換装置が比較する工程と、
複数の比較器に異なった参照電圧が入力される工程と、
カウンタがそれぞれ異なったカウント数を有するように、前記比較器における比較完了までの時間を前記カウンタがカウントし、そのカウント結果を前記カウンタが保持する工程と
を有することを特徴とする固体撮像装置の駆動方法。
【手続補正２】
【補正対象書類名】明細書
【補正対象項目名】発明の名称
【補正方法】変更
【補正の内容】
【発明の名称】固体撮像装置および固体撮像装置の駆動方法
【手続補正３】
【補正対象書類名】明細書
【補正対象項目名】０００１
【補正方法】変更
【補正の内容】
【０００１】
本発明は、固体撮像装置および固体撮像装置の駆動方法に関する（または当該分野に属する）。
【手続補正４】
【補正対象書類名】明細書
【補正対象項目名】００１０
【補正方法】変更
【補正の内容】
【００１０】
本従来例では、参照電圧の時間変化をカウントしているため、出力ビット数がカウンタのクロック数で決まってしまう（１ビットの精度を上げるためには２倍のカウントクロック数が必要）。したがって、出力ビット数を多くしようとすると、クロック周波数を上げるか、読みだし速度を遅くするしかないという欠点があった。
【手続補正５】
【補正対象書類名】明細書
【補正対象項目名】００１６
【補正方法】変更
【補正の内容】
【００１６】
請求項１に係る本発明によれば、複数の比較器と各比較器に対応するカウンタとを有するため、ｉビットカウンタとｊビットカウンタとで同時に、任意の列線の出力の電圧と等しくなるまでの振幅の異なった参照電圧の変化時間をｉビット分カウントし、出力時にｉビットを最上位ビット側とし、ｊビットを最下位ビット側としてｉビットとｊビットをｉ＋ｊビットとして出力することが可能となる。また、２回の読出しを行う場合にも、それぞれの読みだし結果を列毎にｉビットカウンタおよびｊビットカウンタにデジタル値として保持して列毎に演算することができるため、誤差が生じることがないという利点がある。
【手続補正６】
【補正対象書類名】明細書
【補正対象項目名】００１８
【補正方法】変更
【補正の内容】
【００１８】
図１に示すように、固体撮像装置１は、複数の画素１２が、例えばマトリックス状に２次元配置されていて、画素アレイ１１を構成している。上記各画素１２は、例えばフォトダイオードと画素内アンプとから構成されている。
【手続補正７】
【補正対象書類名】明細書
【補正対象項目名】００２４
【補正方法】変更
【補正の内容】
【００２４】
任意の行線Ｈｘの画素１２から列線Ｖ０、Ｖ１…への１回目の読み出しが安定した後、ＤＡＣ１９により参照信号（参照電圧）ＲＡＭＰ１に参照電圧を時間変化させた階段状の波形（９ビット、５１２段階、振幅１Ｖｒ）を入力し、任意の列線Ｖｘの電圧との比較を比較器２１にて行う。同時に、ＤＡＣ１９により参照信号（参照電圧）ＲＡＭＰ２に参照電圧を時間変化させた階段状の波形〔９ビット、５１２段階、振幅１／４Ｖｒ（１／２j、ｊ＝３なら１／８、１／２j、ｊ＝４で１／１６）〕を入力し、任意の列線Ｖｘの電圧との比較を比較器２２にて行う。
【手続補正８】
【補正対象書類名】明細書
【補正対象項目名】００３１
【補正方法】変更
【補正の内容】
【００３１】
アップダウンカウンタ２３での（２回目の比較期間）−（１回目の比較期間）＝（信号成分＋ΔＶ＋ＡＤＣのオフセット成分）−（ΔＶ＋ＡＤＣのオフセット成分）＝（信号成分（１２ビット））であり、以上２回の読み出しとアップダウンカウンタ２３での減算により、画素１２毎のばらつきを含んだΔＶとＡＤＣ毎のオフセット成分も除去されるため、画素１２毎の入射光量に応じた１２ビット精度の信号成分のみが取り出せる。
【手続補正９】
【補正対象書類名】明細書
【補正対象項目名】００３２
【補正方法】変更
【補正の内容】
【００３２】
２回目の読み出し時は、入射光量に応じた信号成分が読み出されるので、光量の大小を広い範囲で判定するためにＲＡＭＰ電圧を大きく変化させる必要がある。そこで本実施例では、信号成分の読み出しを１２ビット分のカウント期間（４０９６クロック）で比較を行っている。１回目のダウンカウント期間分も含めて４０９６＋５１２クロックカウント期間を設けるとダイナミックレンジをフルに使えるためより好ましい。この場合オーバーカウントの可能性があるためアップダウンカウンタ２３は１３ビットとする必要がある。
【手続補正１０】
【補正対象書類名】明細書
【補正対象項目名】００４１
【補正方法】変更
【補正の内容】
【００４１】
すなわち、固体撮像装置２は、複数の画素１２が複数、例えばマトリックス状に２次元配置されていて、画素アレイ１１を構成している。上記各画素１２は、例えばフォトダイオードと画素内アンプとから構成されている。
【手続補正１１】
【補正対象書類名】図面
【補正対象項目名】図７
【補正方法】変更
【補正の内容】
【図７】
2007281987.tif 000001
【手続補正書】
【提出日】平成19年9月19日(2007.9.19)
【手続補正１】
【補正対象書類名】特許請求の範囲
【補正対象項目名】請求項１６
【補正方法】変更
【補正の内容】
【請求項１６】
請求項１３〜１５のいずれかに記載の圧電素子と、
インクが貯留されるインク室及び該インク室から外部に前記インクが吐出されるインク吐出口を有するインク貯留吐出部材とを備えたことを特徴とするインクジェット式記録ヘッド。
【手続補正書】
【提出日】平成19年8月1日(2007.8.1)
【手続補正１】
【補正対象書類名】特許請求の範囲
【補正対象項目名】請求項１
【補正方法】変更
【補正の内容】
【請求項１】
弾性スリーブの内径側に滑り特性が良く、かつ伸び特性が大きい樹脂スリーブを備えたスリーブ本体の開口部より剛性スリーブを挿入して、樹脂スリーブを拡径すると同時に弾性スリーブを拡径させて被取付用穿孔穴の孔壁の切削面部分に前記弾性スリーブを密着させる防食スリーブであって、前記樹脂スリーブの上端部位に鍔部を設け、この鍔部の開口内周面に形成した突起部と、剛性スリーブの外周面に形成した係止溝とを係合して仮組み状態とし、この仮組みした状態から前記穿孔穴への装着を行い得るようにしたことを特徴とする防食スリーブ。
【手続補正２】
【補正対象書類名】特許請求の範囲
【補正対象項目名】請求項２
【補正方法】変更
【補正の内容】
【請求項２】
前記樹脂スリーブの突起部より先端側を縮径して設けた小径部との段差をテーパ段部とし、このテーパ段部に開口部より挿入した剛性スリーブの先端部を当接したとき、樹脂スリーブの突起部と剛性スリーブの挿入側の先端外周面に形成した係止溝が係合して仮組みが成されるようにした請求項１に記載の防食スリーブ。
【手続補正３】
【補正対象書類名】明細書
【補正対象項目名】０００７
【補正方法】変更
【補正の内容】
【０００７】
上記の目的を達成するため、請求項１に係る発明は、弾性スリーブの内径側に滑り特性が良く、かつ伸び特性が大きい樹脂スリーブを備えたスリーブ本体の開口部より剛性スリーブを挿入して、樹脂スリーブを拡径すると同時に弾性スリーブを拡径させて被取付用穿孔穴の孔壁の切削面部分に前記弾性スリーブを密着させる防食スリーブであって、前記樹脂スリーブの上端部位に鍔部を設け、この鍔部の開口内周面に形成した突起部と、剛性スリーブの外周面に形成した係止溝とを係合して仮組み状態とし、この仮組みした状態から前記穿孔穴への装着を行い得るようにした防食スリーブである。
【手続補正４】
【補正対象書類名】明細書
【補正対象項目名】０００８
【補正方法】変更
【補正の内容】
【０００８】
請求項２に係る発明は、前記樹脂スリーブの突起部より先端側を縮径して設けた小径部との段差をテーパ段部とし、このテーパ段部に開口部より挿入した剛性スリーブの先端部を当接したとき、樹脂スリーブの突起部と剛性スリーブの挿入側の先端外周面に形成した係止溝が係合して仮組みが成されるようにした防食スリーブである。
【手続補正５】
【補正対象書類名】明細書
【補正対象項目名】００１３
【補正方法】変更
【補正の内容】
【００１３】
請求項２に係る発明によると、樹脂スリーブの突起部と剛性スリーブの挿入側の先端外周面に形成した係止溝が係合して仮組みが成され、この仮組みが成された剛性スリーブと樹脂スリーブとは調芯された状態にあり、しかも、この調芯された状態は強固に維持されるので、仮組み状態で長期間放置される場合であっても、剛性スリーブが樹脂スリーブから外れる等の問題を起こすことなく、本管への適切な装着を行うことが可能であり、長期に亘って、その優れた防食効果を発揮するという効果を奏する。
【手続補正書】
【提出日】平成19年7月20日(2007.7.20)
【手続補正１】
【補正対象書類名】明細書
【補正対象項目名】００１０
【補正方法】変更
【補正の内容】
【００１０】
前記スプール弁３１は円筒形状を有し、一端側３１ａ、他端側３１ｂ及び制御部３１ｃは、外周面が共に同径に形成されて穴２８に係合され、一端側３１ａと制御部３１ｃとの間、他端側３１ｂと制御部３１ｃとの間には、軸心方向に環状溝３７ａ、３７ｂが形成され、かつ圧力室２７、２６に連通されている。
前記他端側３１ｂには、軸心方向に穴（油室）３８が穿設され、さらに制御部３１ｃ及び一端側３１ａに指向する穴３９が前記穴３８に連通して形成され、前記穴３９に連通して一端側３１ａに開口するチョーク４０が形成される。前記穴３８には後述するばね部材４４が装着される。なお、チョーク４０はスプール弁３１の一端側３１ａの端面と穴３９側との間に圧力差を発生させる機能を有する。
前記制御部３１ｃは、軸心方向に延伸するランド４１が設けられ、該ランド４１の外周面には、円周上に半径方向に延伸する横断面半円形状の複数個、例えば４個の通路４２が形成され、供給ポート２４から制御ポート２５に流れる圧油の流量を調整する機能を有する。
【手続補正書】
【提出日】平成19年7月11日(2007.7.11)
【手続補正１】
【補正対象書類名】明細書
【補正対象項目名】００１５
【補正方法】変更
【補正の内容】
【００１５】
温度調整式（温調式）のドレントラップは、ドレン温度に応じて、排出弁を作動させ、滞留したドレンを排出する構造を有するので、ドレン温度の適切な温度調整により、圧力損失を伴う配管であってもドレンを滞留させることなく排出できる。したがって、蒸気供給時（蒸気供給弁が「開」の時）に、新しい蒸気の通過量を他方の圧力損失の少ないラインのスチーム管と略同一にすることが可能となる。これにより、それぞれのスチーム管に係る配管該当部位の昇温スピードも略同一に制御でき、それぞれの該当部位を適正（正常）温度に制御することができる。
【手続補正書】
【提出日】平成19年10月22日(2007.10.22)
【手続補正１】
【補正対象書類名】明細書
【補正対象項目名】０００７
【補正方法】変更
【補正の内容】
【０００７】
このように、シールが、ヨークとハウジングの間の区域から押し出され、持ち上げられ、そのため漏れが生じる状態は、「ブローバイ（ｂｌｏｗ−ｂｙ）」として知られている。
【特許文献１】米国特許第６２０３２８３号明細書
【特許文献２】米国特許第６２５７１１９号明細書
【特許文献３】米国特許第Ｒｅ２８１０５号明細書
【特許文献４】米国特許第３６１４１１４号明細書
【特許文献５】米国特許第６２０３２８３号明細書
【特許文献６】米国特許第６４５４２７２号明細書